(57)【特許請求の範囲】
【請求項１】
三原色色信号の入力により画像表示を行う液晶表示パネルと、
前記液晶表示パネルに照射されている外光の波長特性に応じて、該液晶表示パネルに入力される色信号を変換する色信号変換部と、
外光の光特性をセンスするセンサとを備え、
前記色信号変換部は、前記液晶表示パネルの光学系の波長特性と前記外光の波長特性によって定まる前記液晶表示パネルの三原色の色度座標値を、前記光学系の波長特性と前記センサが検出した外光の波長特性とに基づいて求める色再現部を含み、前記三原色色信号を、該色再現部により求められた三原色の色度座標値に基づいて変換して表示すること特徴とする液晶表示装置。
【請求項２】
前記色信号変換部は、人間の色順応特性を満足する画像を表示するために、前記センサが検出した外光の波長特性に適応して、人間の色順応特性を満足する画像として表示すべき色を決定する目標表示色決定部を有し、前記色信号を、該目標表示色決定部により決定された目標表示色の色信号に変換することを特徴とする請求項１記載の液晶表示装置。
【請求項３】
前記色信号変換部は、前記センサの出力に応じて色補正係数を発生する色補正係数発生部と、該色補正係数発生部で発生した色補正係数を用いて、前記色信号を補正する色補正部とを有していることを特徴とする請求項１記載の液晶表示装置。
【請求項４】
前記色補正係数発生部は、目標表示色を決定する際に使用される第１色補正係数としての目標表示色決定係数を発生させる目標表示色決定係数発生部と、センサの出力に基づいて色再現を行う際に使用される第２色補正係数としての色再現係数を発生させる色再現係数発生部とからなり、
前記色補正部は、前記色補正係数発生部により発生した目標表示色決定係数と色再現係数との積を求めるかけ算部と、このかけ算部で得られた値に基づいて色信号の色補正を行う目標色色補正部とからなることを特徴とする請求項３記載の液晶表示装置。
【請求項５】
前記センサは、少なくとも２以上の異なる波長領域を分解する波長特性を有し、それぞれの波長領域における出力値に基づいて、外光の波長特性を測定することを特徴とする請求項１から４の何れか１項に記載の液晶表示装置。
【請求項６】
三原色色信号の入力により画像表示を行う液晶表示パネルと、
前記液晶表示パネルに照射されている外光の波長特性に応じて、該液晶表示パネルに入力される三原色色信号を変換する色信号変換部と、
複数種類の外光の波長特性を予め記憶するメモリとを備え、
前記色信号変換部は、前記液晶表示パネルの光学系の波長特性と、前記外光の波長特性によって定まる前記液晶表示パネルの三原色の色度座標値を、前記光学系の波長特性と前記メモリから選択された外光の波長特性とに基づいて求める色再現部を含み、前記三原色色信号を、該色再現部により求められた三原色の色度座標値に基づいて変換して表示すること特徴とする液晶表示装置。
【請求項７】
前記メモリは、外光の２以上の異なる波長領域の波長特性を記憶し、記憶された波長特性の組み合わせによって、選択された外光の波長特性として出力することを特徴とする請求項６記載の液晶表示装置。
【請求項８】
前記色信号変換部は、人間の色順応特性を満足する画像を表示するために、前記メモリから選択された外光の波長特性に基づいて、人間の色順応特性を満足する画像として表示すべき色を決定する目標表示色決定部を有し、前記色信号を、該目標表示色決定部により決定された目標表示色の色信号に変換することを特徴とする請求項６または７に記載の液晶表示装置。
【請求項９】
外光の波長特性をセンスするセンサを備え、
前記色信号変換部は、前記センサの出力に基づいた色信号の変換と、前記メモリから選択された外光の波長特性に基づいた色信号の変換とを切り替えて行うことを特徴とする請求項６から８の何れか１項に記載の液晶表示装置。
【請求項１０】
前記色信号変換部は、前記センサの出力の一つである照度出力が一定値を超えた場合、前記メモリから選択された外光の波長特性に基づいた色信号の変換を行うことを特徴とする請求項９記載の液晶表示装置。
【請求項１１】
前記メモリは、外光の波長特性と、該外光の波長特性に対応した色補正係数をあらかじめ複数種類記憶し、
前記色信号変換部は、選択された外光の波長特性に基づいて、前記メモリに記憶された色補正係数を読み出す色補正係数発生部と、前記色補正係数発生部が前記メモリから読み出した色補正係数を用いて色信号の補正を行う色補正部とを有することを特徴とする請求項６記載の液晶表示装置。
【請求項１２】
三原色色信号の入力により画像表示を行う液晶表示パネルに照射されている外光の波長特性に応じて、該液晶表示パネルに入力される色信号を変換する液晶表示方法であって、
前記三原色色信号を、センサによって検出された外光の波長特性に適応した色の色信号に変換するステップを含み、
上記ステップにおける前記色信号の変換は、前記液晶表示パネルの光学系の波長特性と、前記センサが検出した外光の波長特性に適応して、人間の色順応特性を満足する画像として決定した色を、外光の光特性に応じて定まる前記液晶表示パネルの三原色を用いて再現するようにしたことを特徴とする液晶表示方法。
【請求項１３】
前記色信号の変換を、外光の波長特性に適応して人間の色順応特性を考慮して決定した表示すべき色に基づいて行うことを特徴とする請求項１２に記載の液晶表示方法。
【請求項１４】
前記色信号の変換を、外光の波長特性に適応した色度の三原色を用いて再現した色に基づいて行うことを特徴とする請求項１２に記載の液晶表示方法。
【請求項１５】
三原色色信号の入力により画像表示を行う液晶表示パネルに照射されている外光の波長特性に応じて、該液晶表示パネルに入力される色信号を変換する液晶表示方法であって、
前記三原色色信号を、予めメモリに記憶された複数種類の外光の波長特性の中から選択して読み出された外光の波長特性に適応した色の色信号に変換するステップを含み、
上記ステップにおける前記色信号の変換は、前記液晶表示パネルの光学系の波長特性と、前記メモリから選択された外光の波長特性に適応して、人間の色順応特性を満足する画像として決定した色を、外光の光特性に応じて定まる前記液晶表示パネルの三原色を用いて再現するようにしたことを特徴とする液晶表示方法。
【請求項１６】
前記色信号の変換を、外光の波長特性に適応して人間の色順応特性を考慮して決定した表示すべき色に基づいて行うことを特徴とする請求項１５に記載の液晶表示方法。
【請求項１７】
前記色信号の変換を、外光の波長特性に適応した色度の三原色を用いて再現した色に基づいて行うことを特徴とする請求項１５に記載の液晶表示方法。
【請求項１８】
請求項１〜１１の何れか１項に記載の液晶表示装置を有することを特徴とする電子機器。
【発明の詳細な説明】
【０００１】
【発明の属する技術分野】
本発明は、色信号が入力されることで画像表示を行う画像表示装置及びそれを用いた電子機器並びに画像表示方法に関するものである。
【０００２】
【従来の技術】
近年、カラー画像を主体とした電子機器が普及し、コンピュータグラフィックスを用いたデザイン作成等特殊な分野のみでなく、一般的なオフィスでもカラー画像を手軽に扱えるようになった。一般には、パーソナルコンピュータ（以下、パソコンという）やディジタルスチルカメラで作成したカラー画像を電子メールで伝送し、ハードディスクやフロッピーディスク、若しくはディジタルスチルカメラの記録媒体（例えば、メモリスティック（登録商標）やスマートメディア（登録商標）等）に蓄え、該記録媒体等のデータを用いて画像表示装置で画像を表示した場合、送信側と受信側の両者の色が合わないため、画像表示装置で画像の色彩検討をすることは困難であった。これを解決するための手段としてカラーマネージメントが考案され注目されている。
【０００３】
カラーマネージメントは、共通の色空間を用いることにより画像表示装置等のデバイス毎の色の違いをなくすものである。これは、同じ色空間において同じ座標で記述される色であれば、それらの色の見栄えは同じであるという考えのもとにすべての色を同じ色空間で表現し、その対応する座標を一致させることにより色の見栄えの一致を得ようとするものである。
【０００４】
現在、一般に用いられているカラーマネージメントの方法の一つとして、色空間としてＣＩＥ−ＸＹＺ色空間を用いて、その内部記述座標であるＸＹＺ三刺激値を用いて、デバイス毎の違いを補正する方法がある。このような方法により、見栄えの一致を得る技術が特開平１１−１３４４７８号に開示されている。
【０００５】
図１５は、カラーマネージメントにより相互のパソコン表示画像を観察する環境を説明する図である。図１５を用いて、カラーマネージメントにより相互のパソコン表示画像を観察する環境を説明する。ここでは送信側のパソコンの表示装置１５１上に表示した表示画像１５２を受信側のパソコンの表示装置１５３に同じ表示画像１５２を表示した場合を示す。
【０００６】
一般的に、送信側パソコンの表示装置と受信側パソコンの表示装置の色再現特性の経時変化の度合いは異なり、さらに照明光等の画像観察条件や環境が変化した状態で、送信された画像は各々異なる色再現特性を持つ表示装置で表示される。
【０００７】
【発明が解決しようとする課題】
しかしながら、図１５において、送信側の照明光１５４と受信側の照明光１５５は必ず変化しているため、この様な場合において、ある照明光のもとで等色にできたとしても、その照明光の変化により画像の見栄えが変化し、等色感が得られなくなる。又、表示装置が例えば透過型液晶表示装置のとき、長時間使用した場合にカラーフィルタ特性の経時変化、バックライト光源の環境温度変化及び経時変化により、表示物の輝度と色の変化が起こるために、長時間経過した場合には、さらに著しく画像の見栄が変化し等色感が得られなくなるという問題があった。
【０００８】
ところで、携帯情報端末やパソコンをターゲットとして、反射型液晶表示装置を用いた画像表示装置が普及しつつある。反射型液晶表示装置では、その表示原理自体が外光（照明光）を反射することで成り立っているため、表示画質は外光の影響を透過型液晶表示装置のときより強く受ける。これには大きく分けて下記の２つの原因が考えられる。
【０００９】
まず、第一の原因について述べる。ここでは、反射型液晶表示装置が画像を表示する基本原理について、図１６を参照しながら以下に説明する。
【００１０】
図１６は、反射型液晶表示装置をノートパソコンの表示装置として使用した例を示す。まず、照明光Ａが反射型液晶表示装置１６１に入射し、カラーフィルタや液晶で変調を受けた光が出射する。この光をＢとする。このような画像表示装置の使用者１６２は、出射光Ｂを観察する。ここで出射光Ｂが変化すれば、使用者１６２にとって画質が変化したと感ずることは言うまでもない。
【００１１】
次に、図１７に横軸を光の波長とし、縦軸を光の相対強度とした場合の各種特性例を示す。例えば、図１６の照明光Ａが図１７Ａに示す特性であり、反射型液晶表示装置の光変調特性が図１７Ｂに示す特性であれば、図１６の出射光Ｂは図１７Ｃのように、図１７Ａの特性と図１７Ｂの特性の波長毎の積として示される。ここで、図１６の照明光Ａが図１７Ｄのように変化すれば、図１６の出射光Ｂは図１７Ｅのように変化する。
【００１２】
さらに、上記特性変化を図１８を用いて述べる。図１８はＣＩＥｘｙ色度図であり、○は図１７Ｃに述べた図１６の出射光Ｂの色度座標を示す。又、図１８×は、図１７Ｅに述べた変化した出射光Ｂの色度座標を示す。つまり、出射光Ｂを観察している使用者１６２にとっては、照明光Ａが変化しただけで表示色が○から×に変化し、画質が変化するように感ずる。
【００１３】
次に、第２の原因について述べる。人間の視覚系には照明光の色味に対して順応する特性がある。そのため、照明光を光源として画面を表示する反射型液晶では、順応の特性を考慮した表示を行わないと画質が変化するように捉えられる。
【００１４】
図１８において、表示色が○から×に変化するのは、照明光Ａが図１７Ａに示す特性の光から、図１７Ｄに示す特性の光に変化したからである。多くの場合において使用者１６２は、この照明のもとにあって、液晶表示装置を観察している。つまり、照明光Ａに順応している。図１７Ａの照明光が同図Ｄに変化することは、この順応状態も変化することを意味する。
【００１５】
このため、照明光の変化により表示色は図１８○から図１８×に変化するが、この色の変化は、人間にはそのままは捕らえられない。例えば、図１７Ａの照明光で図１８○の色を感じていた使用者１６２は、照明が図１７Ｄに変化することでその順応状態が変化し、図１８×の色を図１８△の色のように感ずる。
【００１６】
いずれにしても、照明（外光）が変化すると、使用者１６２は液晶表示装置の画質が変化したように感ずる。
【００１７】
本発明は、上記の問題を解決するためになされたものであり、外光条件（外光の光特性）が変化しても使用者が感ずる色調が変化しない画像を提供する画像表示装置およびそれを用いた電子機器並びに画像表示方法を提供するものである。
【００１８】
【課題を解決するための手段】
本発明の画像表示装置は、上記の課題を解決するために、色信号の入力により画像表示を行う画像表示部と、前記画像表示部に照射されている外光の光特性に応じて、該画像表示部に入力される色信号を変換する色信号変換部とを有することを特徴としている。
【００１９】
ここで、外光とは、画像表示部の内部に設けられたバックライトではなく、太陽光や蛍光灯等の画像表示部の外側に光源のある光を示す。一般に、画像表示部に照射される外光の種類によって使用者が該画像表示部に表示された画像を見た場合、その画像の色合いが変化したように見える。このため、外光の種類ごとに見え方の異なる画像を常に同じような色合いで見えるようにするには、画像表示部に入力される色信号を外光の種類毎に補正すればよい。
【００２０】
また、外光の種類は、外光の光特性を検出することにより特定することができるが、この光特性の代表的なものとして、波長特性があり、この波長特性から容易に外光を特定することができる。
【００２１】
したがって、上記の構成のように、外光の光特性に応じて変換された色信号により画像表示を行えば、外光の光特性、すなわち光源の種類が変化しても使用者が感ずる色調が変化しない画像を提供することができる。
【００２２】
また、外光の光特性をセンスするセンサを備え、前記色信号変換部は、前記色信号を、前記センサの出力に適応した色の色信号に変換するようにしてもよい。
【００２３】
この場合、センサによって外光の光特性を検出することで、外光の種類の特定を容易に行うことができる。そして、画像表示部に入力される色信号を、このセンサの出力に適応した色の色信号に変換するようにすれば、外光の光特性に応じた画像、使用者が感ずる色調が変化しない画像を得ることができる。
【００２４】
前記色信号変換部は、前記センサの出力に適応して、人間の色順応特性を満足する画像として表示すべき色を決定する目標表示色決定部を有し、前記色信号を、該目標表示色決定部により決定された目標表示色の色信号に変換するようにしてもよい。
【００２５】
この場合、色信号変換部では、目標表示色決定部によって、センサにより検出された外光の光特性（波長特性）に応じて、人間の視覚系の外光への順応を考慮して表示すべき色が決められ、画像表示部に入力される色信号を、この決められた色の色信号に変換するようになっているので、画像表示部には、外光への順応を考慮して決定された色、すなわち人間の色順応特性を考慮した色の色信号が入力される。よって、表示される画像を、使用者が感ずる色調が変化しない画像にすることができる。
【００２６】
上記構成は、透過型の画像表示装置の場合のように、三原色の色度の影響よりも人間の色順応特性の影響を受け易い場合に効果的である。
【００２７】
また、前記色信号変換部は、前記センサの出力に適応した色度の三原色を用いて、正しい色を再現する色再現部を有し、前記色信号を、該色再現部により再現された色の色信号に変換するようにしてもよい。
【００２８】
この場合、色信号変換部では、色再現部によって、センサの出力に適応した色度の三原色を用いて、正しい色が再現され、画像表示部に入力される色信号を、この再現された正しい色の色信号に変換するようになっているので、画像表示部には、外光の光特性が変化しても常に正しい色で画像の表示を行うことができる。
【００２９】
上記構成は、外光によって変化する三原色の色度変化を考慮したものであるので、特に、周囲の光源により照明された光により表示される反射型表示装置のように、三原色の変化の影響を受け易い場合に効果的である。
【００３０】
また、前記色信号変換部は、前記センサの出力に適応して、人間の色順応特性を満足する画像として表示すべき色を決定する目標表示色決定部と、前記センサの出力に適応した色度の三原色を用いて、前記目標表示色決定部により決定された目標表示色を再現する色再現部とを有し、前記色信号を、前記色再現部により再現された目標表示色の色信号に変換するようにしてもよい。
【００３１】
この場合、色信号変換部では、目標表示色決定部によって、センサの出力に適応して、人間の色順応特性を満足する画像として表示すべき色が決定され、色再現部によって、センサの出力に適応した色度の三原色を用いて、前記目標表示色決定部により決定された目標表示色が再現され、画像表示部に入力される色信号を、再現された目標表示色の色信号に変換するようになっているので、人間の色順応特性を考慮し、さらに使用者が感ずる色調が変化せず、しかも、外光の光特性が変化しても常に正しい色の画像の表示を行うことができる。
【００３２】
これにより、外光の光特性に影響を受けず、使用者にとって常に適切な色の画像を提供することができる。
【００３３】
また、前記色信号変換部は、前記センサの出力に応じて色補正係数を発生する色補正係数発生部と、該色補正係数発生部で発生した色補正係数を用いて、前記色信号を補正する色補正部とを有してもよい。
【００３４】
この場合、色信号変換部では、外光の光特性に応じて色補正係数を用いて、色信号を補正するようになっているので、画像表示部には外光の光特性に応じた画像が表示される。
【００３５】
これにより、外光の光特性に影響を受けず、使用者が感ずる色調が変化しない画像を提供することができる。
【００３６】
具体的には、前記色補正係数発生部は、目標表示色を決定する際に使用される目標表示色決定係数を発生させる目標表示色決定係数発生部と、センサの出力に基づいて色再現を行う際に使用される色再現係数を発生させる色再現係数発生部とからなり、前記色補正部は、前記色補正係数発生部により発生した目標表示色決定係数と色再現係数との積を求めるかけ算部と、このかけ算部で得られた値に基づいて色信号の色補正を行う目標色色補正部とからなるように構成してもよい。
【００３７】
この場合、目標表示色決定係数発生部では、かけ算部で使用する目標表示色決定係数を発生し、色再現係数発生部では、かけ算部で使用する色補正係数を発生し、このかけ算部では、外光の光特性に基づいて発生した目標表示色決定係数と色再現係数との積が求められ、目標色色補正部では、かけ算部で得られた値に基づいて、画像表示部に入力される前の色信号の色補正が行われる。
【００３８】
このように、外光の光特性に応じて、画像表示部に入力される前の色信号の色補正が行われるので、外光の光特性が変化しても、使用者が感ずる色調が変化しない画像を表示させることができる。
【００３９】
また、外光の光特性の一つである波長特性を調べれば、画像表示部に照射されている光、あるいは周囲の光の種類を特定することができる。この光の種類を特定することにより、画像表示装置のおかれている環境をある程度特定することができる。
【００４０】
そこで、外光の波長特性を検出するために、前記センサによって、外光を２つ以上の波長領域に分解して、それぞれの強度を把握することで、外光の光特性の一つである波長特性を測定するようにしてもよい。
【００４１】
具体的には、前記センサを、少なくとも２以上の異なる波長領域を分解する波長特性を有し、それぞれの波長領域における出力値に基づいて、外光の波長特性を測定するようにしてもよい。
【００４２】
本発明の他の画像表示装置は、上記の課題を解決するために、複数種類の外光の光特性を予め記憶するメモリを備え、前記色信号変換部は、前記色信号を、前記メモリから選択して読み出された外光の光特性に適応した色の色信号に変換することを特徴としている。
【００４３】
上記の構成によれば、画像表示部に入力される前の色信号に対して、メモリに記憶された外光の光特性の中から選択した外光の光特性に基づいて補正が行われるので、選択した外光の光特性に適した色信号で画像表示が行われる。
【００４４】
前記メモリに、複数種類の外光の光特性として、室内の照明、室外の太陽光等の様々な外光下で画像を使用者が見ることを想定された外光の光特性記憶させることで、使用者が使用環境に適した外光の光特性を択一的に選択することができ、しかも、この外光の光特性下において正しい色、すなわち使用者が色調の変化を感ずることのない色で画像表示を行うことができる。
【００４５】
前記メモリは、外光の２以上の異なる波長領域の波長特性を記憶し、記憶された波長特性の組み合わせによって、選択された外光の光特性として出力するようにしてもよい。
【００４６】
この場合、外光の２以上の異なる波長領域の波長特性を記憶するだけで、様々な外光の光特性を記憶したことになるので、メモリの記憶容量を小さくすることができ、しかも、記憶した波長特性の組み合わせの分だけの種類の外光の光特性に対応させることができる。
【００４７】
前記色信号変換部は、前記メモリから選択された外光の光特性に基づいて、人間の色順応特性を満足する画像として表示すべき色を決定する目標表示色決定部を有し、前記色信号を、該目標表示色決定部により決定された目標表示色の色信号に変換するようにしてもよい。
【００４８】
この場合、色信号変換部では、目標表示色決定部によって、センサにより検出された外光の光特性（波長特性）に応じて、人間の視覚系の外光への順応を考慮して表示すべき色が決められ、画像表示部に入力される色信号を、この決められた色の色信号に変換するようになっているので、画像表示部には、外光への順応を考慮して決定された色、すなわち人間の色順応特性を考慮した色の色信号が入力される。よって、表示される画像は、使用者が感ずる色調が変化しない画像となる。
【００４９】
上記構成は、透過型の画像表示装置の場合のように、三原色の色度の影響よりも人間の色順応特性の影響を受け易い場合に効果的である。
【００５０】
また、前記色信号変換部は、前記メモリから選択された外光の光特性に適応した色度の三原色を用いて、人間の色順応特性を満足する画像として表示すべき色を再現する色再現部を有し、前記色信号を、該色再現部により再現された色の色信号に変換するようにしてもよい。
【００５１】
この場合、色信号変換部では、色再現部によって、センサの出力に適応した色度の三原色を用いて、正しい色が再現され、画像表示部に入力される色信号を、この再現された正しい色の色信号に変換するようになっているので、画像表示部には、外光の光特性が変化しても常に正しい色で画像の表示が行われる。
【００５２】
上記構成は、外光によって変化する三原色の色度変化を考慮したものであるので、特に、周囲の光源により照明された光により表示される反射型表示装置のように、三原色の変化の影響を受け易い場合に効果的である。
【００５３】
また、前記色信号変換部は、前記メモリから選択された外光の光特性に適応して、人間の色順応特性を満足する画像として表示すべき色を決定する目標表示色決定部と、前記センサの出力に適応した色度の三原色を用いて、前記目標表示色決定部により決定された目標表示色を再現する色再現部とを有し、前記色信号を、前記色再現部により再現された目標表示色の色信号に変換するようにしてもよい。
【００５４】
この場合、色信号変換部では、目標表示色決定部によって、センサの出力に適応して、人間の色順応特性を満足する画像として表示すべき色が決定され、色再現部によって、センサの出力に適応した色度の三原色を用いて、前記目標表示色決定部により決定された目標表示色が再現され、画像表示部に入力される色信号を、再現された目標表示色の色信号に変換するようになっているので、人間の色順応特性を考慮し、さらに使用者が感ずる色調が変化せず、しかも、外光の光特性が変化しても常に正しい色の画像の表示が行われる。
【００５５】
これにより、外光の光特性に影響を受けず、使用者にとって常に適切な色の画像を提供することができる。
【００５６】
本発明の画像表示装置は、上記の課題を解決するために、外光の光特性をセンスするセンサを備え、前記色信号変換部は、前記センサの出力に基づいた色信号の変換と、前記メモリから選択された外光の光特性に基づいた色信号の変換とを切り替えて行うことを特徴としている。
【００５７】
上記の構成によれば、色信号変換部が、前記センサの出力に基づいた色信号の変換と、前記メモリから選択された外光の光特性に基づいた色信号の変換とを切り替えて行うようになっているので、必要に応じてセンサとメモリとを使い分けることができる。
【００５８】
例えば、メモリに記憶されていない種類の外光により画像表示部が照射されている場合には、センサにより外光の種類を特定することができ、常に、外光の光特性に応じた色で画像表示を行うことができる。
【００５９】
また、前記色信号変換部は、前記センサの出力の一つである照度出力が一定値を超えた場合、前記メモリから選択された外光の光特性に基づいた色信号の変換を行うようにしてもよい。
【００６０】
この場合、外光の照度出力が一定値を超えれば、画像表示部に照射する外光が太陽光のような強力な光度の光であると判断することができる。これにより、画像表示装置に太陽光等の非常に明るい光が照射される動作環境（例えば屋外）であるか室内光程度の明るさの光が照射される動作環境（例えば屋内）であるかを検出するセンサを別途設ける必要がない。
【００６１】
また、照度出力が一定値を超えた場合には、太陽光等の非常に明るい光が画像表示部に照射されていると仮定され、メモリに記憶されている太陽光の光特性に基づいて色信号を補正すれば、使用者が感ずる色調の変化のない画像を得ることが可能となる。
【００６２】
例えば、屋内であっても、照明の光度が高く、太陽光のように非常に明るい場合、屋内用の外光の光特性ではなく、太陽光の光特性に基づいて色信号を補正することができる。逆に、屋外であっても、トンネル内やあるいは夜の場合には、画像表示部に照射される外光の光度が低く、非常に暗い場合、屋外用の外光の光特性ではなく、室内用の光特性に基づいて色信号を補正することができる。
【００６３】
これにより、屋内外にかかわらず、画像表示部に表示される外光の照度に応じて適切に色信号を補正することができるので、外光の光特性に影響を受けず、使用者にとって常に適切な色の画像を提供することができる。
【００６４】
さらに、反射型の画像表示装置では、非常に明るい外光が照射されても問題なく使用できるが、暗い場合には、補助の光（バックライト等）が必要となる。そこで、上記照度を反射型の画像表示装置で補助の光が必要か否かを決める値に設定すれば、この照度が一定値よりも小さい場合には、適切に表示するには外光が不足していると判断し、補助の光を強制的に使用するようにすれば、動作環境（外光の光源の違い）に適応した画像表示が可能となる。
【００６５】
前記メモリは、外光の光特性と、該外光の光特性に対応した色補正係数をあらかじめ複数種類記憶し、前記色信号変換部は、選択された外光の光特性に基づいて、前記メモリに記憶された色補正係数を読み出す色補正係数発生部と、前記色補正係数発生部が前記メモリから読み出した色補正係数を用いて色信号の補正を行う色補正部とで構成されていてもよい。
【００６６】
この場合、メモリには、外光の光特性とこれに対応した色信号の補正に必要な色補正係数とが予め記憶されているので、色補正係数を求める必要がなくなる。これにより、色信号を補正するためのステップを短縮できるので、高解像度の画像表示装置に対しても対応が容易になる。この理由について以下に説明する。
【００６７】
画像表示装置の１画素当たりの信号処理時間は、リアルタイムで画像処理を行う場合、画像表示装置のフレーム周波数（フレームレート）が同じであれば、表示画面の画素数の増加（高解像度化）に伴い短くならざるを得ない。例えば、フレーム周波数が６０Ｈｚの場合、１画素当たりの信号処理時間（但し、ブランキング時間を考慮しない）は、以下のようになる。
【００６８】
解像度が６４０×４８０の信号処理時間は、
１／６４０×１／４８０×１／６０≒５４〔ｎＳ〕
となるのに対して、
解像度が１０２４×７６８の信号処理時間は、
１／１０２４×１／７６８×１／６０≒２１〔ｎＳ〕
となる。
【００６９】
つまり、フレーム周波数が一定であれば、画像表示装置の解像度と信号処理時間とは比例関係が成り立つことが分かる。この場合、高解像度の場合には、低解像度の場合に比べて、信号処理時間が短くなっている。
【００７０】
そこで、上述のように、信号処理をリアルタイムで行うために、外光の光特性を予めメモリに記憶させて色補正を行うためのステップを短縮させることで、高速信号処理（高解像度表示）に容易に対応させることができる。
【００７１】
パソコン等の電子機器に上記構成の画像表示装置を備えるようにしてもよい。
【００７２】
この場合、パソコン等の電子機器において、画像表示を行う場合、画像データを画像表示時に色空間のデータ（色信号）として取り扱うようになり、画像表示装置に照射される外光の光特性に応じて、色信号の補正を行うことができる。このため、例えば、インターネットを介して異なるパソコンに画像データを送信した場合、画像データの受信側のパソコンにおいても、上記構成の画像表示装置を備えていれば、該画像表示装置に照射される外光の光特性に応じて、受信した画像データの色信号を補正すれば、使用者にとって適切な色の画像を得ることができ、この結果、パソコン間の画像表示装置における画像表示の見栄えの一致を図ることができる。
【００７３】
本発明の画像表示装置は、色信号の入力により画像表示を行う画像表示部に照射されている外光の光特性に応じて、該画像表示部に入力される色信号を変換することを特徴としている。
【００７４】
上記の構成によれば、外光の光特性に応じて変換された色信号により画像表示を行えば、外光の光特性が変化しても使用者が感ずる色調が変化しない画像を提供することができる。
【００７５】
前記色信号を、センサによって検出された外光の光特性に適応した色の色信号に変換するようにしてもよい。
【００７６】
この場合、センサによって外光の光特性を検出することで、外光の種類の特定を容易に行うことができる。そして、画像表示部に入力される色信号を、このセンサの出力に適応した色の色信号に変換するようにすれば、外光の光特性に応じた画像、使用者が感ずる色調が変化しない画像を得ることができる。
【００７７】
前記色信号を、予めメモリに記憶された複数種類の外光の光特性の中から選択して読み出された外光の光特性に適応した色の色信号に変換するようにしてもよい。
【００７８】
この場合、画像表示部に入力される前の色信号に対して、メモリに記憶された外光の光特性の中から選択した外光の光特性に基づいて補正が行われるので、選択した外光の光特性に適した色信号で画像表示が行われる。
【００７９】
上記メモリに、複数種類の外光の光特性として、室内の照明、室外の太陽光等の様々な外光下で画像を使用者が見ることを想定された外光の光特性を記憶させることで、使用者が使用環境に適した外光の光特性を択一的に選択することができ、しかも、この外光の光特性下において正しい色、すなわち使用者が色調の変化を感ずることのない色で画像表示を行うことができる。
【００８０】
前記色信号の変換を、外光の光特性に適応して人間の色順応特性を考慮して決定した表示すべき色に基づいて行うようにしてもよい。
【００８１】
この場合、外光の光特性に適応して人間の色順応特性を考慮して決定した表示すべき色に基づいて行うようになっているので、画像表示部には、外光への順応を考慮して決定された色、すなわち人間の色順応特性を考慮した色の色信号が入力される。よって、表示される画像は、使用者が感ずる色調が変化しない画像にすることができる。
【００８２】
前記色信号の変換を、外光の光特性に適応した色度の三原色を用いて再現した色に基づいて行うようにしてもよい。
【００８３】
この場合、外光の光特性に適応した色度の三原色を用いて再現した色に基づいて行うようになっているので、画像表示部には、外光の光特性が変化しても常に正しい色で画像の表示を行うことができる。
【００８４】
前記色信号の変換は、外光の光特性に適応して、人間の色順応特性を満足する画像として決定した色を、外光の光特性に適応した色度の三原色を用いて再現し、この再現した色に基づいて行うようにしてもよい。
【００８５】
この場合、外光の光特性に適応して、人間の色順応特性を満足する画像として決定した色を、外光の光特性に適応した色度の三原色を用いて再現し、この再現した色に基づいて行うようになっているので、人間の色順応特性を考慮し、さらに使用者が感ずる色調が変化せず、しかも、外光の光特性が変化しても常に正しい色の画像の表示を行うことができる。
【００８６】
これにより、外光の光特性に影響を受けず、使用者にとって常に適切な色の画像を提供することができる。
【００８７】
【発明の実施の形態】
本発明の各実施の形態について以下に説明する。
【００８８】
〔実施の形態１〕
本発明の実施の一形態について説明すれば、以下の通りである。なお、本実施の形態では、画像表示装置として液晶表示装置を例に説明する。
【００８９】
本実施の形態に係る液晶表示装置は、図１に示すように、外光（照明光）の光特性（以下、外光条件と称する）をセンスするセンサ４と、そのセンサの出力に応じて表示すべき色を決定する目標表示色決定部６と、その決定された目標表示色を、任意の色度の三原色を用いて表示するようにした色再現部７とを有する構成となっている。これら目標表示色決定部６と色再現部７とで色信号変換部を構成している。
【００９０】
又、図１において、１は液晶表示パネル（画像表示部）、５は信号入力端子である。
【００９１】
図１に示す液晶表示装置は、パソコンの外付け表示装置として使用されたり、ノートパソコン自体に組み込まれる。前者では、信号入力端子５はパソコンの出力端子に接続される。後者では、ノートパソコン自身に組み込まれれるので、明確な存在場所は示せないが、原理的には前者と同様である。
【００９２】
以下、各部の動作について説明する。液晶表示パネル１は、カラー表示が可能な表示パネルであり、例えば赤、緑、青（以下、各々ＲＧＢという）の三原色を組み合わせて色を表現するようになっている。目標表示色決定部６は、人間の視覚系の照明光への色順応を考慮して、信号入力端子５に入力される信号をどのような色に表示するのが望ましいかを演算して求める部位である。
【００９３】
視覚系の色順応について簡単に説明する。色順応とは、視覚系の感度特性が照明に応じて変化して、照明光の変動の影響をあまり受けずに視覚情報を取り組むことができるような視覚系の特性を言う。蛍光灯で照明された屋内から夕日の射す屋外に出ると一瞬視野全体が赤みがかって感ずるが、次第に通常の色彩感覚を取り戻し、最終的には平常とほぼ変わりない色彩感覚を取り戻す。これは、視覚系の感度特性が、蛍光灯に順応した状態から夕陽に順応する状態に変化したからである。しかしながら、最終的に完全に従来と同一の色彩感覚を取り戻すことはなく、若干の残留誤差は残る。
【００９４】
目標表示色決定部６では、このような順応状態の変化を予測し、前記残留誤差さえもなく、正しい色を使用者に認識させるためにはどのような色を表示すればよいか（以下、このような色を対応色という）を予め求める。このような計算は、例えば、ｖｏｎ  Ｋｒｉｅｓの色順応モデルを用いれば実行できる。
【００９５】
次に、ｖｏｎ  Ｋｒｉｅｓのモデルを用いた色計算について詳しく述べる。ｖｏｎ  Ｋｒｉｅｓは、図２に示すように、対応色を求めるために、目には赤、青、緑の三原色に対応したセンサがあり、それぞれ異なる分光感度を持つと仮定した。図２には、太陽光と白熱灯の場合に各々の光が持つ波長に対するエネルギーの相対強度を示すグラフ（中図）、及び各々の光に対する目の感度バランスを光の波長に対する相対感度として示すグラフ（右図）を示す。照明光の分光分布が変化すると、それに応じてセンサはその感度を変え、白の見栄えが一定になるようにする。ｖｏｎ  Ｋｒｉｅｓは、これが色順応機構であるとした。
【００９６】
例えば、先の例のように、照明が昼光から白熱電灯に変化する場合、昼光の分光分布は概ね平坦であるので、目の赤、青、緑の感度は概ねバランスがとれている。ところが白熱電灯は赤色成分が強く青色成分が弱い。そのため、目の赤のセンサの感度は下がり、青のセンサの感度は上昇する。その結果、白に対して常に一定の応答が得られ、色の見栄えが変化しない。
【００９７】
ｖｏｎ  Ｋｒｉｅｓの色順応予測式によれば、第一の照明光（以下、試験光という）のもとで、ある物体色の三刺激値を（ＸＹＺ）とし、これを他の照明光（以下、基準光という）に変えたときの対応色の三刺激値を（Ｘ’Ｙ’Ｚ’）とすると、例えば、試験光をＡ光源、基準光をＤ６５光源として、
【００９８】
【数１】
0003904841.tif 000002
【００９９】
となる。後述するがこのようなマトリクス（色補正係数）は、任意の試験光と任意の基準光によって、色彩工学的計算を行って求めることができる。
【０１００】
この式を用いると、例えば、前記試験光Ａ光源の下でＸ＝２８．００、Ｙ＝２１．２６、Ｚ＝５．２７の三刺激値で与えられる色のＤ６５での対応色は、Ｘ’＝２４．４９、Ｙ’＝２１．２０、Ｚ’＝１６．１７と求まる。
【０１０１】
このようにｖｏｎ  Ｋｒｉｅｓのモデルを用いると、人間の視覚系が順応している光の三刺激値を参照してその順応状態の場合どのような色を表示すれば予期した色の見栄えが得られるかを知ることができる。ここでは、ｖｏｎ  Ｋｒｉｅｓのモデルを用いた計算について説明したが、これに限定されるものではない。
【０１０２】
ｖｏｎ  Ｋｒｉｅｓの色順応式を求める方法について述べる。ｖｏｎ  Ｋｒｉｅｓの色順応式は、基本的に、
【０１０３】
【数２】
0003904841.tif 000003
【０１０４】
の形で記述できる。Ｐｉｔｔが求めた視覚系の基本原色の色度座標を用いると、
【０１０５】
【数３】
0003904841.tif 000004
【０１０６】
【数４】
0003904841.tif 000005
【０１０７】
又、マトリクスＤは、
【０１０８】
【数５】
0003904841.tif 000006
【０１０９】
ここに、試験光Ａと基準光Ｄ６５のもとでの白色の３刺激値Ｘ０、Ｙ０、Ｚ０及び、Ｘ０’、Ｙ０’、Ｚ０’は、
【０１１０】
【数６】
0003904841.tif 000007
【０１１１】
であるので、マトリクスＭを用いると、
【０１１２】
【数７】
0003904841.tif 000008
【０１１３】
白色の３刺激値Ｘ０、Ｙ０、Ｚ０および、Ｘ０’、Ｙ０’、Ｚ０’は、照明光の波長分布が求まれば、測色学的に容易に求めることができる。例えば、
【０１１４】
【数８】
0003904841.tif 000009
【０１１５】
次に、求めた値を式５に代入すると、
【０１１６】
【数９】
0003904841.tif 000010
【０１１７】
従って対応色の三刺激値は、
【０１１８】
【数１０】
0003904841.tif 000011
【０１１９】
となる。
【０１２０】
この一連の計算では、照明光の三刺激値さえ分かればすべての計算を完全に行うことができる。又照明光の三刺激値は、照明光の波長分布が分かれば式８に示した積分式によって容易に求められる。よって、センサを用いて照明光の波長特性を把握できれば、三刺激値が分かる。
【０１２１】
このようにして三刺激値を求めることができると、対応色を求めるためのマトリクスを求めることができる。前記のような計算は簡易なＣＰＵとソフトウエアモジュールを用いれば、容易に実施できる。
【０１２２】
ＲＧＢとＸＹＺの関係は、ごく平易な線形マトリクスで変換可能であるから、このようなマトリクスが求まれば、信号入力端子５に入力された色信号のＲＧＢ信号をどのように変換すれば対応色になるかが求められる。
【０１２３】
以上が、目標表示色決定部６に関する説明であるが、この目標表示色決定部６を実現するに当たっては、目標色決定マトリクス発生部（目標色決定係数発生部）３２と、目標色色補正部２２とを用いて行う。前者はマトリクスを求める部位であり、後者は、信号入力端子５に入力された色信号のＲＧＢ信号にマトリクスをかけて、実際に信号を変換する部位である。これらそれぞれの内容は、上に説明したとおりである。
【０１２４】
次に、色再現部７について説明する。色再現部７では、種々の理由による原色の色度変化を踏まえ、その変化後の原色を用いて、目標表示色決定部６で決定された色を表示するための処理を行う。
【０１２５】
先に述べたように、例えば反射型液晶表示装置では照明光が変化すると表示色自体が変化する。これは、反射型液晶表示装置の３つの原色色度が変化するためである。図３にこの一例を示す。図３はｘｙ色度図である。
【０１２６】
図３では、照明光がＤ６５光の場合３０２、Ｄ５０光の場合３０１、Ａ光の場合３０３のそれぞれの場合について、反射型液晶の三原色色度がどのように変化するかの一例を示した。照明光はこれに限ることなく、どのような光であっても原色色度座標が変化することには変わりない。
【０１２７】
このように、照明光の変化等の理由による原色の色度変化を踏まえ、その変化後の原色を用いて、目標表示色決定部６で決定された色を表示するための処理を行うのが色再現部７の役割である。
【０１２８】
この処理は、次の手順で行う。つまり、原色の色度座標を求め、その色度座標の原色を用いて任意の色を正しく表示するマトリクスを求め、このマトリクスを先に求めた目標表示色決定部６の出力に掛けることで行う。
【０１２９】
まず、原色の色度座標値は、液晶の光学系の波長分布特性が分かっているとして、照明光の波長分布特性が分かれば容易に求められる。光学系の波長特性は設計条件から求められ、又、照明光の波長特性は、上記した方法で求めることができる。結局、原色の色度座標値は、光学系の波長特性、照明の波長特性から求めることができる。
【０１３０】
次に、ある色度座標の原色を用いて任意の色を正しく表示するマトリクスを求める方法について述べる。この計算は測色学的に定量的に行えるが、ここでは詳細な原理説明は省略し、Ｃ言語で書いたプログラムを図１９ないし２４に示す。図１９は、色度座標に関する変換プログラムの設定部である。図２０は、ｘ、ｙからｚを計算するプログラム部分である。図２１は、マトリクスの計算を行うプログラム部分である。図２２は、マトリクス及び逆マトリクスを計算するプログラム部分である。図２３は、正規化の計算をするプログラム部分である。図２４は、これらの計算結果を示すプログラム部分である。
【０１３１】
図１９ないし２４に示したプログラムは、色度座標値が変移した原色を用いて、もとの原色を使用した場合と同じ色を表示するために必要なマトリクスを求めるプログラムである。図１に示す色再現部７には、これらを行うために、センサ４の出力を受けて、図１９ないし２４に示したプログラムを用いてマトリクスを求める色再現マトリクス発生部（色再現係数発生部）３１が設けられている。
【０１３２】
次に、これらの手順で得られたマトリクスＭＴＸを用いて、
【０１３３】
【数１１】
0003904841.tif 000012
【０１３４】
を行った出力Ｒ’Ｇ’Ｂ’を色度座標値が変移した原色に与えれば、元の色と同一の色が得られる。この演算は簡単なマトリクス演算であり、図１の色変換部２１で行われる。このようなプログラムを予めソフトウエアモジュール等にしてＣＰＵとともに組み込むことで、満足な機能を得ることができる。
【０１３５】
次に、センサ４について説明する。
センサ４は、液晶表示装置を照明する光の波長特性を測定するものであり、少なくとも２つ以上の異なる波長領域を分解する波長特性を有して、液晶表示装置に入射する光の波長特性を測定して光の色度座標値を出力するようになっている。
【０１３６】
このようなセンサ４は、図４に示すように、シリコンブルーチップ４３に必要なカラーフィルタ４２を取り付ければ容易に実現できる。尚、４４は出力端子である。前記センサは、図５に記載のように、液晶表示装置の周辺に取り付けられるほか、図６に記載のように、液晶表示装置の画素そのものに埋め込んでもよい。
【０１３７】
図５では、センサは５１、液晶表示装置を組み込んだパーソナルコンピュータを５２とした。又、図６では、液晶表示装置の画素を６１、赤のドットを６２、青のドットを６３、緑のドットを６４とした。６２ないし６４のドットはそれぞれセンサが組み込まれたドットであり、この画素６１は画像表示に関与しない。そのため、画面領域の端部に配置される。
【０１３８】
いずれの場合でも分解する波長領域は、例えばＲＧＢに対応する波長領域であってもよいし、あるいはシアン、マゼンタ、黄色（以下、各々Ｃ、Ｍ、Ｙという）に対応する波長領域であってもかまわない。更に可視光範囲を適当な波長間隔、例えば１００ｎｍ間隔でサンプリングしてその領域の光の強さを出力したようにしたものでもよい。
【０１３９】
ところで、このようなセンサは、例えば図５に示したように取付けられるが、このとき液晶表示パネル内の液晶に入射される周囲光のうち、液晶が実際に反射して使用者の目に届く光について検出するようになっていればよい。
【０１４０】
図２５は、反射型液晶の光反射の例を示す。ここで、２５１は反射型液晶パネルであり、２５２に示す円錐内の範囲から入射した光が反射型液晶パネル２５１の正面に向けて有効に反射され、使用者の目２５３に光として認識される。一方、これ以外の角度から入射した光は、反射型液晶パネル２５１に略正反射され、使用者の目２５３には入らない。例えば、矢印Ａの方向から入射した光は、矢印Ｂの経路で使用者の目２５３に入るが、矢印Ｃの方向から入射した光は矢印Ｄの経路で反射され、使用者の目２５３に入らない。
【０１４１】
なお、前記円錐２５２で示す入射光の有効反射範囲は、反射型液晶の種類によって決定されるものである。
【０１４２】
そこで、センサも、円錐２５２と同様の感度分布特性を有するようにする。これにより、反射型液晶パネル２５１で反射されて使用者の目２５３に入る光が実際にどんな光であるかを、センサで効率的に捉えることが可能になる。それ以外の、液晶では反射されない光はセンサでは捉えられず、実際に使用者の目２５３に届かせない光はセンサでも評価されないことになる。
【０１４３】
これにより、実際の使用者の目２５３に届く光のみをシステムで利用できるようになる利点がある。
【０１４４】
このようなセンサからは図４の出力端子４４等から照明光の波長特性に相当する信号が出力され、前記目標表示色決定部６や色再現部７で必要なマトリクスを求めるために利用される。
【０１４５】
以上述べたように本発明では、センサ４によって得られた照明光の特性をもとに２つのマトリクスを用いて入力される信号を変換し、照明状態に順応した人間にとって適切な対応色を求めて、それを照明の影響を受けた原色を用いて表示するようにする。そのため、利用者の視覚系が順応した状態によく合致した色彩を提示でき、主観的なカラーバランスが改善される利点がある。又視覚系の順応状態と異なる表示を観察すると視覚系に無用な負担がかかり、目が疲れるという問題を生ずることがあるが、本発明のように順応状態を考慮した画像の表示を行うと、目に負担をかけることなく自然で疲れにくい画像を提供できる利点がある。
【０１４６】
尚、色再現部７は、バックライト光により表示される透過型液晶表示装置に用いるより、周囲の光源により照明される光により表示される反射型表示装置に用いる方が効果が大きい。それは、透過型液晶表示装置では照明光の変化による原色の色度変化が少ないからであり、一方反射型液晶表示装置ではきわめて大きな変化があるからである。反射型液晶表示装置では、順応の残留誤差より原色の変化が支配的であり、従って、色変化を補正する色再現部７を用いるだけでも大きな効果が期待できる。
【０１４７】
一方、透過型液晶表示装置では、色信号変換部において、色再現部７を用いなくとも、目標表示色決定部６を用いて人間の色順応特性を補正するだけでも十分な実用性が期待できる。
【０１４８】
これらについて、別の構成のブロック図を、図７、図８に示す。図７、図８では、図１と同様の符号を与えた。もちろん、何れの表示装置でも、目標表示色決定部６と色再現部７の両方を用いれば、いっそう完全な色表示ができることはいうまでもない。
【０１４９】
つまり、このようなより完全な形態が図１の構成である。図１では、照明光の光特性をセンスするセンサ４と、そのセンサ４の出力を表示すべき色を決定する目標表示色決定部６と、その決定された目標表示色を、任意の色度の三原色を用いて表示するようにした色再現部７とに導いて、それぞれ色変換マトリクス（色変換係数）を求め、信号入力端子５に入力された信号に対して順次２回のマトリクス演算を行うようにして、この機能を成し遂げるようにしているが、前記図７、図８に示す構成では、１回のマトリクス演算を行うのみであり構成が簡素化されている。
【０１５０】
すなわち、図７に示す画像表示装置では、色信号変換部として目標表示色決定部６のみを備えている。この色信号変換部では、目標表示色決定部６において、前記センサ４の出力に適応して目標色決定マトリクス発生部３２にて目標色決定マトリクスを発生させ、目標色色補正部２２によって、信号入力端子５から入力された信号（色信号）を、上記目標色決定マトリクスに基づいて変換するようになっている。
【０１５１】
また、図８に示す画像表示装置では、色信号変換部として色再現部７のみを備えている。この色信号変換部では、色再現部において、前記センサ４の出力に適応して色再現マトリクス発生部３１によって色再現マトリクスを発生させ、色変換部２１によって、信号入力端子５から入力された信号（色信号）を、上記色再現マトリクスに基づいて変換するようになっている。
【０１５２】
本実施の形態では透過型液晶表示装置及び反射型液晶表示装置を例示して説明したが、これらに限定されるものではなく、ＣＲＴ、ＥＬ、プラズマ等の表示装置一般に適用できる。又これらの画像表示装置を搭載したノートパソコン、デスクトップパソコン、モニタ、プロジェクションテレビ、直視テレビ、ビデオカメラ、スチルカメラ等の電子機器に広く適用できる。
【０１５３】
〔実施の形態２〕
本発明の他の実施の形態について、以下に説明する。なお、本実施の形態では、センサを用いないで、色信号を補正する方法について説明する。
【０１５４】
照明光の三刺激値は、いくつかの一般的な照明の種類とその三刺激値をあらかじめ記憶して、そのときに利用されている照明条件をユーザーに選択させるようにすれば、簡単に照明の三刺激値を特定することが可能である。簡易的な等色を行うのであれば、三刺激値を記憶するより、照明光の色度座標値を記憶する方が簡単であり、このような構成でも良いことは明らかである。
【０１５５】
本実施の形態に係る液晶表示装置は、図９に示すように、これらを実現するために、前記実施の形態１で示すセンサ４で求めた照明光の特性を予め記憶したメモリ４１を備えている。このメモリ４１に記憶された情報は、適切なインターフェース（図示せず）を通じて、使用者が随時必要に応じて呼び出して使用する。
【０１５６】
上記構成の液晶表示装置では、メモリ４１には、照明光の波長特性を記憶するようにし、蛍光灯、電球、屋外等のキーワードを使用者に選択させて、それに応じた波長特性を出力するようにする。
【０１５７】
また、図１０に示すように、センサ４を併用して、センサ４の出力とメモリ４１の出力を必要に応じて切り替えるようにしても良い。この出力の切り替えには、切り替えスイッチ１０１を用いる。この場合、オフィスで定常的に使う場合にはメモリ４１の出力を使用し、屋外で照明条件が刻々と変化するような条件下で使用する場合にはセンサ４の出力を利用する等切り替えることができて、いっそう便利になる。
【０１５８】
又、図１１に示すように、センサ４の出力をメモリ４１に追加して書き込むことができるようにしてもよい。この場合、使用者の所望の使用環境に応じた波長特性のデータを追加することができ、きわめて利便性が向上する。
【０１５９】
さらに、図１２に示すように、メモリ４１には、センサ４によって検出された外光条件としての照明光の波長特性以外に、計算に必要なマトリクスを直接書き込んでも良い。すなわち、図１２に示す構成では、メモリ４１に、目標表示色決定部６の目標色色補正部２２に必要なマトリクスと、色再現部７の色変換部２１に必要なマトリクスとを記憶させるようになっている。したがって、メモリ４１には、外光条件としての照明光の波長特性を、目標色色補正部２２と色変換部２１とに対応して一組ずつ格納されると共に、上記マトリクスも一組ずつ格納される。また、メモリ４１に記憶された外光条件とマトリクスは、必要に応じて一組ずつ出力される。
【０１６０】
この場合、メモリ４１には、工場出荷時に典型的ないくつかの照明光に対応したマトリクスを書き込んでおくことは勿論、図１２の構成で図１１に述べたのと同様、使用者の所望の使用環境に応じたマトリクスを追加することも可能である。
【０１６１】
〔実施の形態３〕
本発明のさらに他の実施の形態について以下に説明する。なお、本実施の形態では、前記実施の形態１で述べたように、２つのマトリクス演算を続けて行い、さらに、計算に必要な２つのマトリクスを予め計算して求めるようになっている。図１３に、本実施の形態に係る液晶表示装置の構成例を示す。
【０１６２】
図１３に示す液晶表示装置では、色信号変換部として、マトリクス発生部３と演算部（色補正部）２とを備え、センサ４からの出力に応じた２つのマトリクスをマトリクス発生部３で計算し、演算部２では、これらの積をかけ算部１３１で予め求めて、目標色色補正部２２で色信号のＲＧＢ信号にかけ算する。色変換の演算は、画面を表示する限り定常的に行う必要があるが、この様にすると、従来、２度続けて行う必要があった定常的に行うマトリクス演算が一度で済み、装置全体のスループットの向上を図ることができる。
【０１６３】
なお、マトリクスを求める箇所を２カ所持つ必要もなく、一つにまとめることができることは明らかである。又、図１３に示すセンサ４は、前記実施の形態２で述べたメモリ４１に置き換えても良いことも明らかである。この場合の構成を図１４に示す。これらの場合（図１３や図１４に示す装置の場合）、構成が簡単にできるとともに、ユーザーに利便性を教授することができる利点がある。特に図１４に示した画像表示装置では、色信号変換部２内にメモリ４１と目標色色補正部２２とを含む構成となっているので、メモリ４１内に必要なマトリクス自体を記憶することも可能であるので、構成が極めて簡単にできる利点がある。
【０１６４】
〔実施の形態４〕
本発明のさらに他の実施の形態について以下に説明する。
【０１６５】
本実施の形態では、液晶表示装置において、該液晶表示装置自身が屋内に存在しているのか、あるいは屋外に存在しているのかを判定（屋内外判定）する方法について説明する。
【０１６６】
前記実施の形態１では、センサ４で検出した外光の光特性に応じて、マトリクスを求めるようにしている。そのために、少なくとも２つ以上のセンサ４を用いるようにしているが、１つのセンサ４だけを用いてシステムを構築することも可能である。
【０１６７】
一般に、反射型のディスプレイは、通常のフラットパネルディスプレイでは使用できないような非常に明るい、例えば直射日光が当たる屋外のようなところでも問題なく使用できる特徴がある。屋外環境では、室内環境に比較して非常に大きな管面照度が得られるので、図５に示すセンサ４を用いて照度だけを測定すれば、その照度が極めて大きいかどうかを判断するだけで、屋外環境で使用されているかどうかを判断することが可能である。つまり、屋外環境にあるか、屋内環境にあるかは、単一のセンサを用いて判断可能である。そこで、屋外環境にあると判断されるときは、前記実施の形態２の方法を用いて、太陽光照明が与えられていると仮定して補正システムを動作させることが可能である。
【０１６８】
このようにすれば、センサを簡略化することができると同時に、極めて明るい環境でも使用可能であるという反射型ディスプレイの第１の特徴をいかんなく発揮でき、実質的に効果の高いシステムを構築することが可能である。特に、車載時には、極めて明るい環境から室内環境に近い環境、あるいは夜間走行など、広い範囲の照明条件に対応する必要があり、夜間走行時には別途照明を点灯し、また、極めて明るい環境は直射日光がディスプレイにあたっている状態等と判断して、それぞれの状況に適した表示を行うことができるようになる利点がある。
【０１６９】
【発明の効果】
本発明の画像表示装置は、以上のように、色信号の入力により画像表示を行う画像表示部と、前記画像表示部に照射されている外光の光特性に応じて、該画像表示部に入力される色信号を変換する色信号変換部とを有する構成である。
【０１７０】
ここで、外光とは、画像表示部の内部のバックライトではなく、太陽光や蛍光灯の光等の画像表示部の外側に光源がある光である。一般に、画像表示部に照射される外光の種類によって使用者が該画像表示部に表示された画像を見た場合、その画像の色合いが変化したように見える。このため、外光の種類ごとに見え方の異なる画像を常に同じような色合いで見えるようにするには、画像表示部に入力される色信号を外光の種類毎に補正する必要がある。
【０１７１】
また、外光の種類は、外光の光特性を検出することにより特定することができるが、この光特性の代表的なものとして、波長特性があり、この波長特性から容易に外光を特定することができる。
【０１７２】
したがって、上記の構成のように、外光の光特性に応じて変換された色信号により画像表示を行えば、外光の光特性が変化しても使用者が感ずる色調が変化しない画像を提供することができるという効果を奏する。
【０１７３】
また、外光の光特性をセンスするセンサを備え、前記色信号変換部は、前記色信号を、前記センサの出力に適応した色の色信号に変換するようにしてもよい。
【０１７４】
この場合、センサによって外光の光特性を検出することで、外光の種類の特定を容易に行うことができる。そして、画像表示部に入力される色信号を、このセンサの出力に適応した色の色信号に変換するようにすれば、外光の光特性に応じた画像、使用者が感ずる色調が変化しない画像を得ることができるという効果を奏する。
【０１７５】
前記色信号変換部は、前記センサの出力に適応して、人間の色順応特性を満足する画像として表示すべき色を決定する目標表示色決定部を有し、前記色信号を、該目標表示色決定部により決定された目標表示色の色信号に変換するようにしてもよい。
【０１７６】
この場合、色信号変換部では、目標表示色決定部によって、センサにより検出された外光の光特性（波長特性）に応じて、人間の視覚系の外光への順応を考慮して表示すべき色が決められ、画像表示部に入力される色信号を、この決められた色の色信号に変換するようになっているので、画像表示部には、外光への順応を考慮して決定された色、すなわち人間の色順応特性を考慮した色の色信号が入力される。よって、表示される画像を、使用者が感ずる色調が変化しない画像にすることができるという効果を奏する。
【０１７７】
上記構成は、透過型の画像表示装置の場合のように、三原色の色度の影響よりも人間の色順応特性の影響を受け易い場合に効果的である。
【０１７８】
また、前記色信号変換部は、前記センサの出力に適応した色度の三原色を用いて、人間の色順応特性を満足する画像として表示すべき色を再現する色再現部を有し、前記色信号を、該色再現部により再現された色の色信号に変換するようにしてもよい。
【０１７９】
この場合、色信号変換部では、色再現部によって、センサの出力に適応した色度の三原色を用いて、人間の色順応特性を満足する画像として表示すべき色、すなわち正しい色が再現され、画像表示部に入力される色信号を、この再現された正しい色の色信号に変換するようになっているので、画像表示部には、外光の光特性が変化しても常に正しい色で画像の表示を行うことができるという効果を奏する。
【０１８０】
上記構成は、外光によって変化する三原色の色度変化を考慮したものであるので、特に、周囲の光源により照明された光により表示される反射型表示装置のように、三原色の変化の影響を受け易い場合に効果的である。
【０１８１】
また、前記色信号変換部は、前記センサの出力に適応して、人間の色順応特性を満足する画像として表示すべき色を決定する目標表示色決定部と、前記センサの出力に適応した色度の三原色を用いて、前記目標表示色決定部により決定された目標表示色を再現する色再現部とを有し、前記色信号を、前記色再現部により再現された目標表示色の色信号に変換するようにしてもよい。
【０１８２】
この場合、色信号変換部では、目標表示色決定部によって、センサの出力に適応して、人間の色順応特性を満足する画像として表示すべき色が決定され、色再現部によって、センサの出力に適応した色度の三原色を用いて、前記目標表示色決定部により決定された目標表示色が再現され、画像表示部に入力される色信号を、再現された目標表示色の色信号に変換するようになっているので、人間の色順応特性を考慮し、さらに使用者が感ずる色調が変化せず、しかも、外光の光特性が変化しても常に正しい色の画像の表示を行うことができる。
【０１８３】
これにより、外光の光特性に影響を受けず、使用者にとって常に適切な色の画像を提供することができるという効果を奏する。
【０１８４】
また、前記色信号変換部は、前記センサの出力に応じて色補正係数を発生する色補正係数発生部と、該色補正係数発生部で発生した色補正係数を用いて、前記色信号を補正する色補正部とを有してもよい。
【０１８５】
この場合、色信号変換部では、外光の光特性に応じて色補正係数を用いて、色信号を補正するようになっているので、画像表示部には外光の光特性に応じた画像が表示される。
【０１８６】
これにより、外光の光特性に影響を受けず、使用者が感ずる色調が変化しない画像を提供することができるという効果を奏する。
【０１８７】
具体的には、前記色補正係数発生部は、目標表示色を決定する際に使用される目標表示色決定係数を発生させる目標表示色決定係数発生部と、センサの出力に基づいて色再現を行う際に使用される色再現係数を発生させる色再現係数発生部とからなり、前記色補正部は、前記色補正係数発生部により発生した目標表示色決定係数と色再現係数との積を求めるかけ算部と、このかけ算部で得られた値に基づいて色信号の色補正を行う目標色色補正部とからなるように構成してもよい。
【０１８８】
この場合、目標表示色決定係数発生部では、かけ算部で使用する目標表示色決定係数を発生し、色再現係数発生部では、かけ算部で使用する色補正係数を発生し、このかけ算部では、外光の光特性に基づいて発生した目標表示色決定係数と色再現係数との積が求められ、目標色色補正部では、かけ算部で得られた値に基づいて、画像表示部に入力される前の色信号の色補正が行われる。
【０１８９】
このように、外光の光特性に応じて、画像表示部に入力される前の色信号の色補正が行われるので、外光の光特性が変化しても、使用者が感ずる色調が変化しない画像を表示させることができるという効果を奏する。
【０１９０】
また、外光の光特性の一つである波長特性を調べれば、画像表示部に照射されている光、あるいは周囲の光の種類を特定することができる。この光の種類を特定することにより、画像表示装置のおかれている環境をある程度特定することができるという効果を奏する。
【０１９１】
そこで、外光の波長特性を検出するために、前記センサによって、外光を２つ以上の波長領域に分解して、それぞれの強度を把握することで、外光の光特性の一つである波長特性を測定するようにしてもよい。
【０１９２】
具体的には、前記センサを、少なくとも２以上の異なる波長領域を分解する波長特性を有し、それぞれの波長領域における出力値に基づいて、外光の波長特性を測定するようにしてもよい。
【０１９３】
本発明の他の画像表示装置は、以上のように、複数種類の外光の光特性を予め記憶するメモリを備え、前記色信号変換部は、前記色信号を、前記メモリから選択して読み出された外光の光特性に適応した色の色信号に変換する構成である。
【０１９４】
それゆえ、画像表示部に入力される前の色信号に対して、メモリに記憶された外光の光特性の中から選択した外光の光特性に基づいて補正が行われるので、選択した外光の光特性に適した色信号で画像表示が行われる。
【０１９５】
上記メモリに、複数種類の外光の光特性として、室内の照明、室外の太陽光等の様々な外光下で画像を使用者が見ることを想定された外光の光特性を記憶させることで、使用者が使用環境に適した外光の光特性を択一的に選択することができ、しかも、この外光の光特性下において正しい色、すなわち使用者が色調の変化を感ずることのない色で画像表示を行うことができるという効果を奏する。
【０１９６】
前記メモリは、外光の２以上の異なる波長領域の波長特性を記憶し、記憶された波長特性の組み合わせによって、選択された外光の光特性として出力するようにしてもよい。
【０１９７】
この場合、外光の２以上の異なる波長領域の波長特性を記憶するだけで、様々な外光の光特性を記憶したことになるので、メモリの記憶容量を小さくすることができ、しかも、記憶した波長特性の組み合わせの分だけの種類の外光の光特性に対応させることができる。
【０１９８】
前記色信号変換部は、前記メモリから選択された外光の光特性に基づいて、人間の色順応特性を満足する画像として表示すべき色を決定する目標表示色決定部を有し、前記色信号を、該目標表示色決定部により決定された目標表示色の色信号に変換するようにしてもよい。
【０１９９】
この場合、色信号変換部では、目標表示色決定部によって、センサにより検出された外光の光特性（波長特性）に応じて、人間の視覚系の外光への順応を考慮して表示すべき色が決められ、画像表示部に入力される色信号を、この決められた色の色信号に変換するようになっているので、画像表示部には、外光への順応を考慮して決定された色、すなわち人間の色順応特性を考慮した色の色信号が入力される。よって、表示される画像は、使用者が感ずる色調が変化しない画像にすることができるという効果を奏する。
【０２００】
上記構成は、透過型の画像表示装置の場合のように、三原色の色度の影響よりも人間の色順応特性の影響を受け易い場合に効果的である。
【０２０１】
また、前記色信号変換部は、前記メモリから選択された外光の光特性に適応した色度の三原色を用いて、人間の色順応特性を満足する画像として表示すべき色を再現する色再現部を有し、前記色信号を、該色再現部により再現された色の色信号に変換するようにしてもよい。
【０２０２】
この場合、色信号変換部では、色再現部によって、センサの出力に適応した色度の三原色を用いて、正しい色が再現され、画像表示部に入力される色信号を、この再現された正しい色の色信号に変換するようになっているので、画像表示部には、外光の光特性が変化しても常に正しい色で画像の表示を行うことができるという効果を奏する。
【０２０３】
上記構成は、外光によって変化する三原色の色度変化を考慮したものであるので、特に、周囲の光源により照明された光により表示される反射型表示装置のように、三原色の変化の影響を受け易い場合に効果的である。
【０２０４】
また、前記色信号変換部は、前記メモリから選択された外光の光特性に適応して、人間の色順応特性を満足する画像として表示すべき色を決定する目標表示色決定部と、前記センサの出力に適応した色度の三原色を用いて、前記目標表示色決定部により決定された目標表示色を再現する色再現部とを有し、前記色信号を、前記色再現部により再現された目標表示色の色信号に変換するようにしてもよい。
【０２０５】
この場合、色信号変換部では、目標表示色決定部によって、センサの出力に適応して、人間の色順応特性を満足する画像として表示すべき色が決定され、色再現部によって、センサの出力に適応した色度の三原色を用いて、前記目標表示色決定部により決定された目標表示色が再現され、画像表示部に入力される色信号を、再現された目標表示色の色信号に変換するようになっているので、人間の色順応特性を考慮し、さらに使用者が感ずる色調が変化せず、しかも、外光の光特性が変化しても常に正しい色の画像の表示が行われる。
【０２０６】
これにより、外光の光特性に影響を受けず、使用者にとって常に適切な色の画像を提供することができるという効果を奏する。
【０２０７】
本発明の画像表示装置は、以上のように、外光の光特性をセンスするセンサを備え、前記色信号変換部は、前記センサの出力に基づいた色信号の変換と、前記メモリから選択された外光の光特性に基づいた色信号の変換とを切り替えて行う構成である。
【０２０８】
それゆえ、色信号変換部が、前記センサの出力に基づいた色信号の変換と、前記メモリから選択された外光の光特性に基づいた色信号の変換とを切り替えて行うようになっているので、必要に応じてセンサとメモリとを使い分けることができる。
【０２０９】
例えば、メモリに記憶されていない種類の外光により画像表示部が照射されている場合には、センサにより外光の種類を特定することができ、常に、外光の光特性に応じた色で画像表示を行うことができるという効果を奏する。
【０２１０】
また、前記色信号変換部は、前記センサの出力の一つである照度出力が一定値を超えた場合、前記メモリから選択された外光の光特性に基づいた色信号の変換を行うようにしてもよい。
【０２１１】
この場合、外光の照度出力が一定値を超えれば、画像表示部に照射する外光が太陽光のような強力な光度の光であると判断することができる。これにより、画像表示装置に太陽光等の非常に明るい光が照射される動作環境（例えば屋外）であるか室内光程度の明るさの光が照射される動作環境（例えば屋内）であるかを検出するセンサを別途設ける必要がない。
【０２１２】
また、照度出力が一定値を超えた場合には、太陽光等の非常に明るい光が画像表示部に照射されていると仮定され、メモリに記憶されている太陽光の光特性に基づいて色信号を補正すれば、使用者が感ずる色調の変化のない画像を得ることができるという効果を奏する。
【０２１３】
さらに、反射型の画像表示装置では、非常に明るい外光が照射されても問題なく使用できるが、暗い場合には、補助の光（バックライト等）が必要とされる。そこで、上記照度値を反射型の画像表示装置で補助の光が必要か否かを決める値に設定すれば、この照度が一定値よりも小さい場合には、適切に表示するには外光が不足していると判断し、補助の光を強制的に使用するようにすれば、動作環境（外光の光源の違い）に適応した画像表示が可能となるという効果を奏する。
【０２１４】
前記メモリは、外光の光特性と、該外光の光特性に対応した色補正係数をあらかじめ複数種類記憶し、前記色信号変換部は、選択された外光の光特性に基づいて、前記メモリに記憶された色補正係数を読み出す色補正係数発生部と、前記色補正係数発生部が前記メモリから読み出した色補正係数を用いて色信号の補正を行う色補正部とで構成されていてもよい。
【０２１５】
この場合、メモリには、外光の光特性とこれに対応した色信号の補正に必要な色補正係数とが予め記憶されているので、色補正係数を求める必要がなくなる。これにより、色信号を補正するためのステップを短縮できるので、高解像度の画像表示装置に対しても対応が容易になるという効果を奏する。
【０２１６】
パソコン等の電子機器に上記構成の画像表示装置を備えるようにしてもよい。
【０２１７】
この場合、パソコン等の電子機器において、画像表示を行う場合、画像データを画像表示時に色空間のデータ（色信号）として取り扱うようになり、画像表示装置に照射される外光の光特性に応じて、色信号の補正を行うことができる。
【０２１８】
このため、例えば、インターネットを介して異なるパソコンに画像データを送信した場合、画像データの受信側のパソコンにおいても、上記構成の画像表示装置を備えていれば、該画像表示装置に照射される外光の光特性に応じて、受信した画像データの色信号を補正すれば、使用者にとって適切な色の画像を得ることができ、この結果、パソコン間の画像表示装置における画像表示の見栄えの一致を図ることができるという効果を奏する。
【０２１９】
本発明の画像表示装置は、以上のように、色信号の入力により画像表示を行う画像表示部に照射されている外光の光特性に応じて、該画像表示部に入力される色信号を変換する構成である。
【０２２０】
それゆえ、外光の光特性に応じて変換された色信号により画像表示を行えば、外光の光特性が変化しても使用者が感ずる色調が変化しない画像を提供することができるという効果を奏する。
【０２２１】
前記色信号を、センサによって検出された外光の光特性に適応した色の色信号に変換するようにしてもよい。
【０２２２】
この場合、センサによって外光の光特性を検出することで、外光の種類の特定を容易に行うことができる。そして、画像表示部に入力される色信号を、このセンサの出力に適応した色の色信号に変換するようにすれば、外光の光特性に応じた画像、使用者が感ずる色調が変化しない画像を得ることができるという効果を奏する。
【０２２３】
前記色信号を、予めメモリに記憶された複数種類の外光の光特性の中から選択して読み出された外光の光特性に適応した色の色信号に変換するようにしてもよい。
【０２２４】
この場合、画像表示部に入力される前の色信号に対して、メモリに記憶された外光の光特性の中から選択した外光の光特性に基づいて補正が行われるので、選択した外光の光特性に適した色信号で画像表示が行われる。
【０２２５】
上記メモリに、複数種類の外光の光特性として、室内の照明、室外の太陽光等の様々な外光下で画像を使用者が見ることを想定された外光の光特性を記憶させることで、使用者が使用環境に適した外光の光特性を択一的に選択することができ、しかも、この外光の光特性下において正しい色、すなわち使用者が色調の変化を感ずることのない色で画像表示を行うことができるという効果を奏する。
【０２２６】
前記色信号の変換を、外光の光特性に適応して人間の色順応特性を考慮して決定した表示すべき色に基づいて行うようにしてもよい。
【０２２７】
この場合、外光の光特性に適応して人間の色順応特性を考慮して決定した表示すべき色に基づいて行うようになっているので、画像表示部には、外光への順応を考慮して決定された色、すなわち人間の色順応特性を考慮した色の色信号が入力される。よって、表示される画像は、使用者が感ずる色調が変化しない画像にすることができるという効果を奏する。
【０２２８】
前記色信号の変換を、外光の光特性に適応した色度の三原色を用いて再現した色に基づいて行うようにしてもよい。
【０２２９】
この場合、外光の光特性に適応した色度の三原色を用いて再現した色に基づいて行うようになっているので、画像表示部には、外光の光特性が変化しても常に正しい色で画像の表示を行うことができるという効果を奏する。
【０２３０】
前記色信号の変換は、外光の光特性に適応して、人間の色順応特性を満足する画像として決定した色を、外光の光特性に適応した色度の三原色を用いて再現し、この再現した色に基づいて行うようにしてもよい。
【０２３１】
この場合、外光の光特性に適応して、人間の色順応特性を満足する画像として決定した色を、外光の光特性に適応した色度の三原色を用いて再現し、この再現した色に基づいて行うようになっているので、人間の色順応特性を考慮し、さらに使用者が感ずる色調が変化せず、しかも、外光の光特性が変化しても常に正しい色の画像の表示を行うことができる。
【０２３２】
これにより、外光の光特性に影響を受けず、使用者にとって常に適切な色の画像を提供することができるという効果を奏する。
【図面の簡単な説明】
【図１】本発明の画像表示装置の一例を示す概略構成図である。
【図２】人間の視覚系の順応効果を説明する図である。
【図３】反射型液晶表示装置の色域を示すグラフである。
【図４】シリコンブルーセルを用いたセンサの概略構成図である。
【図５】液晶表示装置にセンサを取りつけた状態を示す説明図である。
【図６】センサを液晶表示装置自体に組み込んだ状態を示す説明図である。
【図７】本発明の画像表示装置の他の例を示す概略構成図である。
【図８】本発明の画像表示装置のさらに他の例を示す概略構成図である。
【図９】本発明の画像表示装置のさらに他の例を示す概略構成図である。
【図１０】本発明の画像表示装置のさらに他の例を示す概略構成図である。
【図１１】本発明の画像表示装置のさらに他の例を示す概略構成図である。
【図１２】本発明の画像表示装置のさらに他の例を示す概略構成図である。
【図１３】本発明の画像表示装置のさらに他の例を示す概略構成図である。
【図１４】本発明の画像表示装置のさらに他の例を示す概略構成図である。
【図１５】従来の技術の問題点を示す説明図である。
【図１６】反射型液晶表示装置の色の見栄えに関する説明図である。
【図１７】反射型液晶表示装置の色の変化について示す説明図である。
【図１８】反射型液晶表示装置の色域を示すグラフである。
【図１９】色度座標に関する変換プログラムの設定部を示す図である。
【図２０】ｘ、ｙからｚを計算するプログラム部分を示す図である。
【図２１】マトリクスの計算を行うプログラム部分を示す図である。
【図２２】マトリクス及び逆マトリクスを計等するプログラム部分を示す図である。
【図２３】正規化の計算をするプログラム部分を示す図である。
【図２４】図１９ないし２３の計算結果を示すプログラム部分を示す図である。
【図２５】反射型液晶の光反射の例を示す説明図である。
【符号の説明】
１  液晶表示装置
２  演算部（色補正部）
３  マトリクス発生部（目標色決定係数発生部）
４  センサ
５  信号入力端子
６  目標表示色決定部（色信号変換部）
７  色再現部（色信号変換部）
２１  色変換部
２２  目標色色補正部
３１  色再現マトリクス発生部（色再現係数発生部）
３２  目標色決定マトリクス発生部
４１  メモリ
４２  カラーフィルタ
４３  シリコンブルーチップ
４４  出力端子
５１  センサ
５２  パーソナルコンピュータ
６１  画像表示に関与しない画素
６２  赤のドット
６３  青のドット
６４  緑のドット
１０１  切り替えスイッチ
１３１  かけ算部
１５１  送信側の表示装置
１５２  表示画像
１５３  受信側の表示装置
１５４  送信側の照明光
１５５  受信側の照明光
１６１  反射型液晶表示装置
１６２  使用者
【図１】
0003904841.tif 000013
【図２】
0003904841.tif 000014
【図３】
0003904841.tif 000015
【図４】
0003904841.tif 000016
【図５】
0003904841.tif 000017
【図６】
0003904841.tif 000018
【図７】
0003904841.tif 000019
【図８】
0003904841.tif 000020
【図９】
0003904841.tif 000021
【図１０】
0003904841.tif 000022
【図１１】
0003904841.tif 000023
【図１２】
0003904841.tif 000024
【図１３】
0003904841.tif 000025
【図１４】
0003904841.tif 000026
【図１５】
0003904841.tif 000027
【図１６】
0003904841.tif 000028
【図１７】
0003904841.tif 000029
【図１８】
0003904841.tif 000030
【図１９】
0003904841.tif 000031
【図２０】
0003904841.tif 000032
【図２１】
0003904841.tif 000033
【図２２】
0003904841.tif 000034
【図２３】
0003904841.tif 000035
【図２４】
0003904841.tif 000036
【図２５】
0003904841.tif 000037